(57)【要約】【課題】より確実に窓曇りを検出し易い湿度検出装置を得る。【解決手段】湿度検出装置１００は、車両の窓となるウインドシールド３０の車両室内側に張り付けてウインドシールド３０の曇りを検出する検出部１０を備える。湿度検出装置は、ウインドシールド３０の外側に位置する外表面部３１と、外表面部３１の車両室内側表面を覆う断熱部３４とを含む。断熱部３４は、検出部１０と外表面部３１の間に位置する第１断熱部３４ａと、該第１断熱部３４ａ以外の第２断熱部３４ｂとを有する。第１断熱部３４ａの熱伝導が第２断熱部３４ｂの熱伝導よりも良好である。【選択図】図１
2016080690.tif 000002
【特許請求の範囲】
【請求項１】
車両の窓となるウインドシールド（３０）の車両室内側に取り付けて前記窓の曇りを検出する検出部（１０）と、前記ウインドシールドの一部を構成し前記ウインドシールドの外側に位置する外表面部（３１）と、前記ウインドシールドの一部を構成し前記外表面部の車両室内側表面の少なくとも一部を覆う断熱部（３４）とを備え、
前記断熱部は、前記検出部と前記外表面部の間に位置する第１断熱部（３４ａ）と、この第１断熱部以外の第２断熱部（３４ｂ）とを有し、
前記第１断熱部の方が、前記第２断熱部よりも熱伝導が良好であることを特徴とする湿度検出装置。
【請求項２】
前記第１断熱部は、前記検出部と前記外表面部の間の、前記検出部の一部が対向する部分に位置することを特徴とする請求項１に記載の湿度検出装置。
【請求項３】
前記第１断熱部は、前記検出部と前記外表面部の間の、前記検出部の底部面積に対して前記第１断熱部の対向面積が５０％以上となる部分に位置することを特徴とする請求項１又は２に記載の湿度検出装置。
【請求項４】
前記第１断熱部は、充填剤を含む空洞部を有することを特徴とする請求項１ないし３のいずれか一項に記載の湿度検出装置。
【請求項５】
前記第１断熱部の材質と前記第２断熱部の材質とが相違していることを特徴とする請求項１ないし４のいずれか一項に記載の湿度検出装置。
【請求項６】
前記第１断熱部の車両内外方向の厚さは、前記第２断熱部の車両内外方向の厚さよりも薄いことを特徴とする請求項１ないし５のいずれか一項に記載の湿度検出装置。
【請求項７】
更に、前記断熱部の車両室内側において前記ウインドシールドの一部を構成し前記断熱部の少なくとも一部を覆うヒータ部（３５）を有し、
前記検出部は、前記ヒータ部の更に車両室内側に取り付けられており、
前記検出部が曇りを検出したときに、前記ヒータ部が通電されて、前記ウインドシールドの曇りが除去されることを特徴とする請求項１ないし６のいずれか一項に記載の湿度検出装置。
【請求項８】
前記ヒータ部は、前記検出部と前記外表面部の間の、前記検出部に対向する部分に位置する第１ヒータ部（３５ａ）と、この第１ヒータ部以外の残りの前記ヒータ部である第２ヒータ部（３５ｂ）とを有し、
前記検出部が曇りを検出したときに、前記ヒータ部に通電されて、前記ウインドシールドの曇りが除去され、前記第１ヒータ部よりも前記第２ヒータ部の方が高温に加熱されることを特徴とする請求項７に記載の湿度検出装置。
【請求項９】
前記第１断熱部が前記第２断熱部よりも熱伝導率の高い領域を有していることを特徴とする請求項１ないし８のいずれか一項に記載の湿度検出装置。
【請求項１０】
前記領域は、前記第１断熱部に形成された複数の穴とこの穴の中に充填された充填物とを含むことを特徴とする請求項９に記載の湿度検出装置。
【請求項１１】
前記充填物として、熱伝導ゲル又は熱伝導グリスが充填されていることを特徴とする請求項１０に記載の湿度検出装置。
【請求項１２】
車両の窓となるウインドシールド（３０）の車両室内側に取り付けて前記窓の曇りを検出する検出部（１０）と、前記ウインドシールドの一部を構成し前記ウインドシールドの外側に位置する外表面部（３１）と、前記ウインドシールドの一部を構成し前記外表面部の車両室内側表面の少なくとも一部を覆う断熱部（３４）とを備え、
前記断熱部（３４）は、前記検出部と前記外表面部の間に位置する第１断熱部（３４ａ）と、この第１断熱部以外の第２断熱部（３４ｂ）とを有し、
前記第１断熱部の方が、前記第２断熱部よりも熱伝導が良好であり、
前記検出部は、前記ウインドシールドの車両室内側に設けられたカーボンナノチューブの層（１０２）と、このカーボンナノチューブの層の電気抵抗を測定する測定部（１０６）とを含むことを特徴とする湿度検出装置。
【請求項１３】
前記第１断熱部は、前記検出部と前記外表面部の間の、前記検出部と一部が対向する部分に位置することを特徴とする請求項１２に記載の湿度検出装置。
【請求項１４】
前記第１断熱部は、前記検出部と前記外表面部の間の、前記検出部の底部面積に対して５０％以上対向して重なる部分に位置することを特徴とする請求項１２又は１３に記載の湿度検出装置。
【請求項１５】
前記第１断熱部は、充填剤を含む空洞部を有することを特徴とする請求項１２ないし１４のいずれか一項に記載の湿度検出装置。
【請求項１６】
前記第１断熱部の材質と前記第２断熱部の材質とが相違していることを特徴とする請求項１２ないし１５のいずれか一項に記載の湿度検出装置。
【請求項１７】
前記第１断熱部の車両内外方向の厚さは、前記第２断熱部の車両内外方向の厚さよりも薄いことを特徴とする請求項１２ないし１６のいずれか一項に記載の湿度検出装置。
【請求項１８】
更に、前記断熱部の車両室内側において前記ウインドシールドの一部を構成し前記断熱部の少なくとも一部を覆うヒータ部（３５）を有し、
前記検出部は、前記ヒータ部の更に車両室内側に取り付けられており、
前記検出部が曇りを検出したときに、前記ヒータ部に通電されて、前記ウインドシールドの曇りが除去されることを特徴とする請求項１２ないし１７のいずれか一項に記載の湿度検出装置。
【請求項１９】
前記ヒータ部は、前記検出部と前記外表面部の間の前記検出部に対向する部分に位置する第１ヒータ部（３５ａ）と、この第１ヒータ部以外の残りの前記ヒータ部である第２ヒータ部（３５ｂ）とを有し、
前記検出部が曇りを検出したときに、前記ヒータ部（３５）に通電されて、前記ウインドシールド（３０）の曇りが除去され、前記第１ヒータ部（３５ａ）よりも前記第２ヒータ部（３５ｂ）の方が高温に加熱されることを特徴とする請求項１８に記載の湿度検出装置。
【請求項２０】
前記第１断熱部（３４ａ）が前記第２断熱部（３４ｂ）よりも熱伝導率の高い領域を有していることを特徴とする請求項１２ないし１９のいずれか一項に記載の湿度検出装置。
【請求項２１】
前記熱伝導率の高い領域は、前記第１断熱部に形成された複数の穴（３６）とこの穴の中に充填された充填物とを含むことを特徴とする請求項２０に記載の湿度検出装置。
【請求項２２】
前記充填物として、熱伝導ゲル又は熱伝導グリスが充填されていることを特徴とする請求項２１に記載の湿度検出装置。
【発明の詳細な説明】
【技術分野】
【０００１】
本発明は、車両のウインドシールドの曇りを検出するために、ウインドシールドにおける車両室内側の湿度を検出する湿度検出装置に関するものである。
【背景技術】
【０００２】
特許文献１に開示された車両用防曇装置は、ウインドシールドの曇りの発生を押さえつつ、暖房能力の低下を抑えるものである。このために、特許文献１に開示された車両用防曇装置は、ウインドシールドの相対湿度に基づいて、ウインドシールドが曇り易いか否かを判定している。そして、湿度センサが窓曇りを検知した場合、車両用防曇装置を構成する車両用空調装置をＤＥＦモードにし、窓曇りを晴らすように制御している。
【先行技術文献】
【特許文献】
【０００３】
【特許文献１】特開２００７−８４４９号公報
【発明の概要】
【発明が解決しようとする課題】
【０００４】
しかし、湿度検出値の誤差、及び車両ごとのウインドシールドの形状又は材質の違いを考慮して、湿度センサが曇りを検出するときの基準値を微妙に調整しなければ確実に窓曇りを検出することができなかった。
【０００５】
本発明は、より確実に窓曇りを検出し易い湿度検出装置を得ることを目的とする。
【０００６】
従来技術として列挙された特許文献の記載内容は、この明細書に記載された技術的要素の説明として、参照によって導入ないし援用することができる。
【課題を解決するための手段】
【０００７】
本発明は上記目的を達成するために、下記の技術的手段を採用する。すなわち、本発明における湿度検出装置は、車両の窓となるウインドシールド（３０）の車両室内側に取り付けて窓の曇りを検出する検出部（１０）と、ウインドシールドの一部を構成しウインドシールドの外側に位置する外表面部（３１）と、ウインドシールの一部を構成し外表面部の車両室内側表面の少なくとも一部を覆う断熱部（３４）とを備えている。また、断熱部は、検出部と外表面部の間に位置する第１断熱部（３４ａ）と、この第１断熱部以外の第２断熱部（３４ｂ）とを有し、第１断熱部の方が、第２断熱部よりも熱伝導が良好である。
【０００８】
この発明によれば、第１断熱部の熱伝導が第２断熱部の熱伝導よりも良好であるから、外表面部が外気によって冷やされると、検出部が外気によって冷やされる。そのため検出部が湿度を検出しやすくなる。よって、第２断熱部側に重大な曇りが発生する前に検出部が確実に曇り直前又は直後の湿度を検出し易くなる。よって、検出部における湿度検出にばらつきが多少あっても、車両内の乗員の視界が曇りによって悪くなる前に、検出部が曇りを生じさせる湿度を確実に検出し易くなる。
【０００９】
なお、特許請求の範囲及び上記各手段に記載の括弧内の符号ないし説明は、後述する実施形態に記載の具体的手段との対応関係を分かり易く示す一例であり、発明の内容を限定するものではない。
【図面の簡単な説明】
【００１０】
【図１】本発明の第１実施形態における湿度検出装置がウインドシールドとなるフロントガラスに設けられた状態を示す一部断面図である。
【図２】第１実施形態における湿度検出装置と車両用防曇装置とを車両内に取り付けた状態を示す説明図である。
【図３】第１実施形態における湿度検出装置の内部構成を示す一部断面図である。
【図４】第１実施形態における湿度検出装置を使用して空調制御装置に制御信号を出力する状態を説明するブロック図である。
【図５】第１実施形態における図４の制御信号を生成するまでの制御を説明するフローチャートである。
【図６】本発明の第２実施形態における湿度検出装置をウインドシールドにとりつけた状態を示す一部断面図である。
【図７】本発明の第３実施形態における湿度検出装置をウインドシールドにとりつけた状態を示す一部断面図である。
【図８】本発明の第４実施形態における湿度検出装置を複数のウインドシールドの一つに取り付けた状態を示す車両の平面図である。
【図９】本発明の第５実施形態における湿度検出装置がウインドシールドとなるフロントガラスに設けられた状態を示す一部断面図である。
【図１０】図９の湿度検出装置の一部拡大説明図である。
【発明を実施するための形態】
【００１１】
以下に、図面を参照しながら本発明を実施するための複数の形態を説明する。各形態において、先行する形態で説明した事項に対応する部分には同一の参照符号を付して重複する説明を省略する場合がある。各形態において構成の一部を説明している場合は、構成の他の部分については先行して説明した他の形態を適用することができる。
【００１２】
各実施形態で具体的に組合せが可能であることを明示している部分同士の組合せばかりではなく、特に組合せに支障が生じなければ、明示していなくても実施形態同士を部分的に組合せることも可能である。
【００１３】
（第１実施形態）
以下、本発明の第１実施形態について図１ないし図５を用いて詳細に説明する。図１において湿度検出装置１００は、車両の窓となるウインドシールド３０と、このウインドシールド３０の車両室内側に張り付けて窓の曇りを検出する検出部１０とを有している。この検出部１０は、湿度検出装置のセンサ部分である。ウインドシールド３０は、ウインドスクリーンとも呼ばれ、窓の外側に位置するガラス又は樹脂よりなる外表面部３１と、この外表面部３１の表面を覆う断熱フィルムから構成された断熱部３４とを有している。
【００１４】
断熱部３４は、検出部１０と外表面部３１の間に位置する検出部範囲内断熱部である第１断熱部３４ａと、該第１断熱部３４ａ以外の検出部範囲外断熱部である第２断熱部３４ｂとを有する。
【００１５】
図１及び図２のように、車両室内の運転者は、第２断熱部３４ｂの多くを透過して外部状態を視認する。ウインドシールド３０の外表面部は、ガラスから成り、図１の下面側が車室内に面する内面３０ａであり、上面側が車室外に面する外面３０ｂである。
【００１６】
第１断熱部３４ａと検出部１０との位置は、図１において、検出部１０の底部面積と、これに対向する第１断熱部３４ａの対向面積とが１００％対向して重なっているが、多少ずれていても良い。しかし、少なくとも検出部１０の底部面積に対して第１断熱部３４ａの対向面積の５０％以上対向して重なることが望ましい。また、第１断熱部３４ａの熱伝導が第２断熱部３４ｂの熱伝導よりも良好であるように設定されている。
【００１７】
例えば、第１断熱部３４ａ内の熱伝導に寄与する銀、アルミヌウム等の金属粒子又はフィラーの含有量を第２断熱部３４ｂよりも多くすることで、第１断熱部３４ａの熱伝導が第２断熱部３４ｂの熱伝導よりも良好であるように設定できる。つまり、この場合は、第１断熱部３４ａの材質と第２断熱部３４ｂの材質とが相違しており、低断熱部となる第１断熱部３４ａの熱伝導が高断熱部となる第２断熱部３４ｂの熱伝導よりも良い。検出部１０の幅Ｗ１に相当する窓曇り検出範囲の少なくとも半分以上は低断熱部と対向して重なる構成である。
【００１８】
第１断熱部３４ａの熱伝導が第２断熱部３４ｂの熱伝導よりも良好であるように設定する。このために、第１断熱部３４ａの材質と第２断熱部３４ｂの材質とを相違させる具体的構造としては、例えば、第１断熱部３４ａに熱伝導を良好にする金属粉末又はフィラーを混入する。その他、熱伝導が良いカーボンナノチューブ（ＣＮＴとも言う）を混入しても良い。また第１断熱部３４ａと第２断熱部３４ｂとして透明発泡樹脂を使用し、熱伝導を良くするために第１断熱部３４ａの発泡空隙総量を第２断熱部３４ｂよりも少なくしても良い。
【００１９】
これによれば第１断熱部３４ａの方が、熱伝導を阻害する発泡空隙が少なく樹脂密度が大きいため、熱伝導を良好にすることができる。透明発泡樹脂としては、直径が１ミクロンよりも小さいナノオーダーの気泡（ナノセル）をフィルム内部に充満させるナノセル発泡が知られている。
【００２０】
この熱伝導に関係する熱伝導率とは、窓の外側から車両室内側に向かう熱伝導において、媒質中に温度勾配がある場合に、その勾配に沿って運ばれる熱流束の大きさを規定する物理量である。
【００２１】
この熱伝導の相違は、第１断熱部３４ａの材質と第２断熱部３４ｂの材質とが相違しており、第１断熱部３４ａの熱伝導率が第２断熱部３４ｂの熱伝導率よりも大きいことに基因する。第１実施形態では、第１断熱部３４ａの厚さと第２断熱部３４ｂの厚さを同一にすることができ、ウインドシールドの車両室内側に段差が生じない。なお、第１断熱部３４ａのすべてが第２断熱部３４ｂよりも熱伝導率の高い領域を有している必要はない。
【００２２】
更に、図１において、断熱部３４の車両室内側である図１の右下側に、断熱部３４を覆うヒータ部３５有し、検出部１０は、ヒータ部３５の更に車両室内側に取り付けられている。検出部１０の信号に基づき、曇りを検出したときに、ヒータ部３５に通電されて、窓の曇りが除去される。
【００２３】
ヒータ部３５の一例は、ガラス又は樹脂フィルムの表面に透明導電膜を高温で蒸着して形成される。透明導電膜の両端には電極として銀ペーストが設けられ透明導電膜に電流が流されて発熱する。これらの透明導電膜と銀ペーストを更にガラスカバーで覆うこともできる。透明導電膜は酸化インジウムを主として形成される。透明導電膜を構成する成分の配合割合によって透明導電膜の表面抵抗を変化させている。例えば、銀の配合割合を少なくすると表面抵抗が増加し、同じ電圧を印加しても発熱量が減少する。
【００２４】
ヒータ部３５は、検出部２の幅Ｗ１の底部面積に対して５０％以上重なって設置された対向面積を持つ第１ヒータ部３５ａと、第１ヒータ部３５ａ以外の残りのヒータ部３５である第２ヒータ部３５ｂとを含む。
【００２５】
ヒータ部３５の他の例は、透明部材内に視界を著しく遮らない程度の細い熱線を複数設置したものから構成することもできる。この場合は、第１ヒータ部３５ａよりも第２ヒータ部３５ｂの方が熱線の密度が高くされている。換言すれば、低温部となる第１ヒータ部３５ａの発熱量が少なく、高温部となる第２ヒータ部３５ｂの発熱量が多い。このようにヒータ部３５は、高温部と低温部があり、検出部１０の窓曇り検出範囲（幅Ｗ１）の少なくとも半分以上は低温部となる。
【００２６】
このようなヒータ部３５と共に、あるいはヒータ部３５の代わりに、既存の車両用空調装置のＤＥＦモードを活用して防曇装置を構成することもできる。図２は、フロントガラスの上部に検出部１０をとりつけ、車両用空調装置における車室内空調ユニット３６０のデフロスタ吹出口３７から温風を吹き出して曇りを防止したり曇りを除去したりする防曇装置の構成を示している。
【００２７】
この第１実施形態では、ヒータ部３５と共に車室内空調ユニット３６０のデフロスタ吹出口３７からの温風も利用して防曇している。そして、検出部１０が曇りを検出したときに、ウインドシールド３０に向けて温風が吹出されて、窓の曇りが除去されるようにしているが、車室内空調ユニット３６０だけ、あるいは、ヒータ部３５だけで防曇装置を構成しても良い。
【００２８】
次に、図３〜図５に基づいて、検出部２における湿度の検出と防曇装置の制御装置への制御信号の送信について詳しく説明する。以下において、ウインドシールド３０とは、図１及び図２に示した外表面部３１と断熱部３４とヒータ部３５とを張り合わせたものである。なお、ヒータ部３５は省略しても良い。
【００２９】
図３において、検出部１０は、樹脂などによって成形され、上ケース１１ａと下ケース１１ｂとに分割構成されたケース１１を有している。このケース１１は、高さの低い薄型の概略直方体状であり、上ケース１１ａの側壁部には、設置環境の車室内空気が内部に流通するよう、複数の通風スリット１０ｓが設けられている。
【００３０】
ウインドシールド３０の外表面部３１は、図１と同じく車両の前面（フロント）ガラスであり、図３の上面側が車室内に面する内面３０ａであり、下面側が車室外に面する外面３０ｂである。そして、検出部１０は、ウインドシールド３０の内面３０ａに、例えば図示しないルームミラー上側部などに、接着シート１３にて貼り付けて固定されている。接着シート１３は、厚さ０．５ｍｍ程度の両面接着シートで、下ケース１１ｂとウインドシールド３０とを接着する。
【００３１】
ケース１１の内部空間、即ち上ケース１１ａと下ケース１１ｂとの間には、回路基板１４がウインドシールド３０の面と平行に設置されている。より具体的には、回路基板１４が３本の螺子２４にて下ケース１１ｂに締結固定されている。
【００３２】
回路基板１４のうち、下ケース１１ｂ側の表面には、ガラス温度センサ２３が実装されている。また、上ケース１１ａ側の表面には、湿度センサ１７、空気温度センサ１８、演算回路（ＩＣ）２０、コネクタ２２及び図示しない増幅器や通信回路などが実装されている。
【００３３】
湿度センサ１７は、回路基板１４の周縁に近い角部に設置されており、この湿度センサ１７に対して対角側の周縁に近い部分に、演算回路２０が設置されている。これは、演算回路２０が作動によって熱を発するが、回路基板１４内で極力、両者を遠ざけた設置とすることにより、演算回路２０の発熱が湿度センサ１７で検出する湿度環境に影響を及ぼすのを防ぐためである。
【００３４】
湿度センサ１７は、通気を良くするために、回路基板１４に開けられたスルーホール１４ｂの上に橋渡しするように設置されている。それと共に、湿度センサ１７まわりの回路基板１４には、基板から熱が伝わるのを防ぐためのスリット１４ａが切られている。
【００３５】
なお、この実施形態では、湿度センサ１７として、感湿膜の誘電率が空気の相対湿度に応じて変化し、それにより、静電容量が空気の相対湿度に応じて変化する容量変化型のものを用いている。
【００３６】
空気温度センサ１８とガラス温度センサ２３とは、できるだけ湿度センサ１７に近づけるようにして、回路基板１４の中央部に設置されていると共に、回路基板１４の表裏にて略同軸上に設置されている。これは、ウインドシールド内面の代表的な空気の湿度と、ウインドシールド内面の代表的な温度とを、極力同じ環境条件の下で検出するためである。なお、両温度センサ１８、２３には、温度に応じて抵抗値が変化するサーミスタを用いている。
【００３７】
また、空気温度センサ１８及びガラス温度センサ２３と演算回路２０との間の回路基板１４には、基板を通した伝熱を防ぐためのスリット１４ａが切られている。このスリット１４ａは、温度センサ部を取り囲むように設置しても良い。コネクタ２２は、螺子２５にて回路基板１４に締結固定されている。
【００３８】
更に、コネクタ２２の端子が回路基板１４の導体回路部と半田接合されており、回路基板１４の増幅器、演算回路、及び通信回路を含む電気回路部と、図４の空調制御装置２６、車両電源などの外部回路との間を電気的に接続している。
【００３９】
下ケース１１ｂのガラス温度センサ２３に対応する部分には、熱伝導率の高い金属部材１６が、インサート成形により一体化されている。本実施形態では、この金属部材１６として、厚さ２ｍｍの銅板を用いている。また、その金属部材１６の両面側に熱伝導良好な（熱伝導率：３〜１０Ｗ／ｍ・Ｋ）熱伝導部材１５が貼着されている。
【００４０】
この熱伝導部材１５は、熱伝導シート、熱伝導ゲル、熱伝導グリスなどの部材である。より具体的には、金属部材１６のガラス側面には、厚さ０．６ｍｍのガラス側熱伝導部材１５ａが、そして金属部材１６のセンサ側面には、厚さ０．８ｍｍのセンサ側熱伝導部材（第２熱伝導部材）１５ｂが設けられている。
【００４１】
そして、下ケース１１ｂに回路基板１４を締結固定すると、ガラス温度センサ２３が、センサ側熱伝導部材１５ｂに若干めり込む程度に押し当たる構造となっている。また、ガラス側熱伝導部材１５ａは、周りの接着シート１３よりも僅かに厚くなっている。そのため、接着シート１３の開口窓１３ａ１、１３ａ２から僅かに浮き出るようになっている。その結果、検出部１０をウインドシールド内面３０ａに貼り付けた際、ガラス側熱伝導部材１５ａが確実にガラス面に押し付けられている。なおガラスと称したが外表面部３１がガラス製でなく樹脂製でも良いことは勿論である。
【００４２】
ウインドシールド３０は、図３では単純に一層で図示しているが、実際には図１に示したように、外表面部３１と、断熱部３４と、ヒータ部３５の３層構造である。
【００４３】
これらにより、ウインドシールド３０の温度は、ガラス側熱伝導部材１５ａ→金属部材１６→センサ側熱伝導部材１５ｂ→ガラス温度センサ２３と伝熱して検出されるようになっている。なお、上ケース１１ａは、回路基板１４を押えながら下ケース１１ｂと嵌合され、上ケース１１ａの側壁部下端に設けられた図示されない係止爪にて係止固定される。
【００４４】
次に、図４により、電気制御のためのシステム構成を説明する。図４は、主として図１の検出部１０の電気的ブロックを示している。各センサ１７、１８、２３の出力信号は、夫々の増幅器１９ａ〜１９ｃ（１９）で増幅されて、各演算回路２０ａ〜２０ｃ（２０）に入力される。
【００４５】
そして、相対湿度演算回路２０ａ、空気温度演算回路２０ｂ、及びガラス温度演算回路２０ｃの夫々の演算値に基づいて、ガラス表面相対湿度がガラス表面相対湿度演算回路２０ｄにより演算される。この演算回路２０ｄの演算値は、通信回路２１を通して、空調制御装置２６に出力されるようになっている。
【００４６】
空調制御装置２６により制御される車両用空調装置は周知であるため説明の大半を省略するが、図２の車室内空調ユニット３６０は、車室内最前部の計器盤（インストルメントパネル）車両室内側部などに配設される。この車室内空調ユニット３６０は、ケースを有し、このケース内に車室内へ向かって空気が送風される空気通路を有する。
【００４７】
このケースの空気通路の最上流部には、内外気切換箱が設置されており、内気導入口又は外気導入口が内外気切換ドア（内外気切換手段）によって空気導入口として切換られる。
【００４８】
内外気切換箱の下流側には、車室内に向かって空気を送風する電動式の送風機が設けられている。この送風機は、多翼遠心式の送風ファンを送風モータによって駆動する。送風機の下流側には、送風空気を冷却する蒸発器が設置されている。
【００４９】
この蒸発器は、冷凍サイクル装置を構成する要素の一つであり、低温低圧の冷媒が送風空気から吸熱して蒸発することにより送風空気が冷却される。なお、冷凍サイクル装置は、周知のものであり、圧縮機の吐出側から、凝縮器、受液器及び減圧手段を成す膨張弁を介して蒸発器に冷媒が循環する。
【００５０】
凝縮器には、電動式の冷却ファンによって車外空気が送風される。また、冷凍サイクル装置において、圧縮機は圧縮機駆動用電動機によって駆動される。
【００５１】
一方、室内空調ユニットにおいて蒸発器の下流側には、ケース内を流れる空気を加熱するヒータコアが設置されている。このヒータコアは、車両走行用エンジンの温水（エンジン冷却水）を熱源として、蒸発器通過後の空気（冷風）を加熱する暖房用熱交換器である。ヒータコアの側方にはバイパス通路が形成され、このバイパス通路をヒータコアのバイパス空気が流れる。
【００５２】
また、蒸発器とヒータコアとの間には、温度調整手段を成すエアミックスドアが設置されている。このエアミックスドアは、サーボモータによって駆動され、その回転位置（開度）が連続的に調整可能となっている。このエアミックスドアの開度によって、ヒータコアを通る空気量（温風量）と、バイパス通路を通過してヒータコアをバイパスする空気量（冷風量）との割合を調節し、これにより、車室内に吹き出す空気の温度が調整されるようになっている。
【００５３】
ケースの空気通路の最下流部には、車両の前面ウインドシールド３０に向けて空調風を吹き出すためのデフロスタ吹出口３７が設けられている。また、ケースの空気通路の最下流部には、乗員の頭胸部に向けて空調風を吹き出すためのフェイス吹出口、及び乗員の足元部に向けて空調風を吹き出すためのフット吹出口が設けられている。
【００５４】
図４の空調制御装置２６は、空調ＥＣＵとも呼ばれる。この空調制御装置２６は、そのＲＯＭ内に空調制御のための制御プログラムを記憶している。そして、空調制御装置２６には、上記した検出部１０の演算値が入力される他に、周知の空調用センサ群からの検出信号、及び空調操作パネルからの各種操作信号が入力される。
【００５５】
温度調整された空調風が、ケースの空気通路の最下流部に位置するデフロスタ吹出口３７、フェイス吹出口及びフット吹出口のうち、いずれか１つ又は複数の吹出口から車室内へ吹き出して、車室内の空調及び車両のウインドシールド３０の曇りが除去される。
【００５６】
次に、この第１実施形態による検出部１０の作動を、図５に基づいて説明する。図５は、図４に示す演算回路２０によって実行される演算処理のフローチャートである。まず、図３の各センサ１７、１８、２３の出力値（実際には増幅器１９ａ〜１９ｃで増幅された出力値）を読み込む（Ｓ１０）。
【００５７】
次に、湿度センサ１７の出力値Ｖに基づいて、ウインドシールド３０付近の車室内空気の相対湿度ＲＨを演算する（Ｓ２０）。すなわち、湿度センサ１７の出力値Ｖを相対湿度ＲＨに変換するための所定の演算式が予め設定されており、この演算式に出力値Ｖを適用することにより、相対湿度ＲＨを演算する。下記の数式１は、この湿度演算式の具体例である。
【００５８】
（数１）ＲＨ＝αＶ＋β  但し、αは制御係数で、βは定数である。
【００５９】
次に、空気温度センサ１８の出力値を、予め設定された所定の演算式に適用することにより、ウインドシールド付近の車室内空気温度を演算する（Ｓ３０）。次に、ガラス温度センサ２３の出力値を、予め設定された所定の演算式に適用することにより、ガラス車両室内側表面温度となるウインドシールド温度を演算する（Ｓ４０）。
【００６０】
次に、上記各ステップＳ２０〜Ｓ４０で演算された相対湿度ＲＨ、空気温度及びウインドシールド温度に基づいて、ウインドシールド表面相対湿度つまりウインドシールド車両室内側表面の相対湿度ＲＨｗを演算する（Ｓ５０）。すなわち、湿り空気線図を用いることにより、相対湿度ＲＨと空気温度とウインドシールド温度とからウインドシールド表面相対湿度ＲＨｗを演算できる。そして、ステップＳ６０では、得られたウインドシールド表面相対湿度ＲＨｗの値を空調制御装置２６に出力する。
【００６１】
空調制御装置２６では、ウインドシールド表面相対湿度ＲＨｗが、基準値となる所定の目標ウインドシールド表面相対湿度ＴＲＨｗよりも上昇すると、外気モードとし、ウインドシールド表面相対湿度ＲＨｗが（ＴＲＨｗ−ａ）よりも低下すると内気モードにする。なお、目標ウインドシールド表面相対湿度ＴＲＨｗは例えば、８５％程度の、ウインドシールド曇りを十分防止できるレベルの相対湿度である。
【００６２】
この内外気吸込モード制御において、目標ウインドシールド表面相対湿度ＴＲＨｗは、ウインドシールドの曇りが生じない上限湿度付近に設定するから、ウインドシールドの曇りが生じない範囲で常に内気比率が高くなるように内外気吸込モードを制御できる。これにより、冬期の暖房始動時に内気比率を上昇することにより換気熱損失を低減して、車室内暖房効果の立ち上げを促進できる。一方、ウインドシールドの曇り止めの必要性が高いときは、ウインドシールドの防曇を行う。
【００６３】
すなわち、内外気吸込モードを強制的に外気モードに切り換え、空調用電動送風機のブロワレベルを増加し、吹出モードをデフロスタモードに切り換える。これにより低湿度の外気を導入して加熱した温風をデフロスタ吹出口３７からウインドシールド３０の内面に吹き出す。それと共に、この温風の吹出風量を増加することにより、ウインドシールド表面相対湿度ＲＨｗを速やかに引き下げてウインドシールド３０の曇りを除去できる。更に、ヒータ部３５に通電されてウインドシールド３０が加熱される。
【００６４】
（第１実施形態の作用効果）
水蒸気として空気の中に入ることができる水分の量には限度があり、温度が高いほど限度は大きい。限度を超えると、余った水蒸気が結露する。空気が水蒸気を含むことができる限界の量を飽和水蒸気量という。この飽和水蒸気量は気温が下がるにつれて減っていく。外表面部が外気に冷やされてウインドスクリーンの内面に接する空気が冷えて、飽和水蒸気量を越えてしまうと、余った水蒸気は、空気中に存在することができないため、水滴となって、曇りが生じる。よって、曇りが生じる直前又は直後に限度である基準値を超える湿度を検出することが好ましい。
【００６５】
第１実施形態においては、検出部１０が、車両のウインドシールド３０の車両室内側に張り付けられて曇りを検出する。ウインドシールド３０は、このウインドシールド３０の外側に位置する外表面部３１と、外表面部３１の車両室内側表面を覆う断熱部３４とを有する。この断熱部３４は、検出部１０と外表面部３１の間に位置する第１断熱部３４ａと、この第１断熱部以外の第２断熱部３４ｂとを含む。そして、第１断熱部３４ａの熱伝導が第２断熱部３４ｂの熱伝導よりも良好である。
【００６６】
これによれば、第１断熱部３４ａの熱伝導が第２断熱部３４ｂの熱伝導よりも良好である。故に、外表面部３１が外気によって冷やされると、検出部１０が外気によって良好に冷やされる。よって、第２断熱部３４ｂ側に重大な曇りが発生する前に、検出部１０が確実に基準値を超える湿度を検出しやすい。よって、検出部１０が湿度検出にばらつきが多少あっても、車両内の乗員の視界が曇りによって悪くなる前に、検出部１０が基準値を超える湿度をより確実に検出して防曇することができる。
【００６７】
また、第１断熱部３４ａの材質と第２断熱部３４ｂの材質とが相違している。これによれば、第１断熱部３４ａの材質と第２断熱部３４ｂの材質とを変えることにより、容易に第１断熱部３４ａの熱伝導を第２断熱部３４ｂの熱伝導よりも良好に設定できる。
【００６８】
次に、断熱部３４の車両室内側において断熱部３４を覆うヒータ部３５を有し、検出部１０は、ヒータ部３５の更に車両室内側に取り付けられている。そして、検出部１０が基準値を超える曇りを検出したときに、ヒータ部３５に通電されて、窓の曇りが除去される。
【００６９】
これによれば、検出部１０が外気によって良好に冷やされる。よって、第２断熱部３４ｂ側に重大な曇りが発生する前に、検出部１０が基準値を超える湿度を検出する。そのため、車両毎のウインドシールド３０の形状材質の違いをあまり考慮しないでも、検出部１０が基準値を超える湿度をより確実に検出して防曇することができる。また、曇りが生じたときは、ヒータ部３５を加熱することで、少ない消費エネルギーで曇りの除去を実現できる。
【００７０】
次に、ヒータ部３５は、検出部１０と外表面部３１の間に位置する第１ヒータ部３５ａと、この第１ヒータ部以外の第２ヒータ部３５ｂとを有する。そして、検出部１０が曇りを検出したときに、ヒータ部３５に通電されて、窓の曇りが除去される。この場合に、第１ヒータ部３５ａよりも第２ヒータ部３５ｂの方が高温に加熱される。
【００７１】
これによれば、ヒータ部３５に通電されて、窓の曇りが除去される。この場合に、第１ヒータ部３５ａよりも第２ヒータ部３５ｂの方が高温になる。従って、検出部１０が曇りを検出したときに、ヒータ部３５に通電されて、乗員の視界に影響する窓の曇りがより確実に除去される。
【００７２】
（第２実施形態）
次に、本発明の第２実施形態について説明する。なお、以降の各実施形態においては、第１実施形態と同一の構成要素には同一の符号を付して説明を省略し、異なる構成について説明する。なお、第２実施形態以下については、第１実施形態と同じ符号は、同一の構成を示すものであって、先行する説明が援用される。図６において、第１断熱部３４ａの車両内外方向の厚さと第２断熱部３４ｂの車両内外方向の厚さとが相違しており、第１断熱部３４ａの熱伝導が、第２断熱部３４ｂの熱伝導よりも良好である。
【００７３】
つまり、第１断熱部３４ａの厚さを相対的に薄くして、第１断熱部３４ａの厚さと第２断熱部３４ｂの厚さとが相違させている。これによって、第１断熱部３４ａの熱伝導が第２断熱部３４ｂの熱伝導よりも良好にされている。
【００７４】
これによれば、第１断熱部３４ａの厚さを相対的に薄くして、第１断熱部３４ａの厚さと第２断熱部３４ｂの厚さとを変えている。故に、第１断熱部３４ａと第２断熱部３４ｂとが同一材質であっても、容易に第１断熱部３４ａの熱伝導を第２断熱部３４ｂの熱伝導よりも良好に設定できる。
【００７５】
（第３実施形態）
次に、本発明の第３実施形態について説明する。図７において、第１断熱部３４ａが第２断熱部３４ｂよりも熱伝導の良好な領域を有しており、この領域は、第１断熱部３４ａに形成された穴３６を含み、穴３６内に熱伝導が良好となる金属粉末やカーボンナノチューブを多く含む充填物が充填されている。
【００７６】
これによれば、穴３６の部分は、断熱材が無い単なる空気を含む空洞部ではなく、熱伝導が良好となる金属粉末やカーボンナノチューブを多く含む充填物が充填されているから、熱伝導が良い。従って、全体的に、穴３６が一部に形成された第１断熱部３４ａが、穴３６の無い第２断熱部３４ｂよりも熱伝導が良好となる。熱伝導が良好か否かは材質による熱伝導率の違いだけでなく、形状及び寸法も影響する。また材質が均一でないときは材質の濃度分布、例えば、フィラーの充填濃度分布つまり熱伝導部分の分布領域も影響する。
【００７７】
熱伝導が良好か否かは、同一の熱容量の低温部材を第１断熱部３４ａの外側と、第２断熱部３４ｂの外側に押し当てて、第１断熱部３４ａの車両室内側と、第２断熱部３４ｂの車両室内側の温度低下の様子を観察することで判明する。第１断熱部３４ａが、第２断熱部３４ｂよりも熱伝導が良好な場合は、第１断熱部３４ａの車両室内側の方が、第２断熱部３４ｂの車両室内側よりも先に温度が低下する。
【００７８】
（第３実施形態の変形例）
穴３６中に熱伝導ゲル又は熱伝導グリスを充填しても良い。穴３６を複数設けて穴３６の内径を小さくすれば、毛細管現象により穴３６中に熱伝導ゲル又は熱伝導グリスを流出することなく保持できる。
【００７９】
一方、空隙があると熱伝導が阻害される。従って、第１断熱部３４ａと第２断熱部３４ｂの材質として、発泡樹脂を使用し、発泡樹脂の樹脂密度を変えて熱伝導に差をつけても良い。この場合、第１断熱部３４ａの発泡樹脂の樹脂密度の方が大きくされ、樹脂中の発泡空隙量の割合が少なくされる。
【００８０】
第２断熱部３４ｂに発泡樹脂を使用する場合は、直径が１ミクロンよりも小さいナノオーダーの気泡（ナノセル）をフィルム内部に充満させるナノセル発泡を用いた透明発泡樹脂を使用することが望ましい。これによれば第１断熱部３４ａの方が、熱伝導を阻害する発泡空隙が少なく樹脂密度が大きいため、熱伝導を良好にすることができる。
【００８１】
（第３実施形態の作用効果）
第３実施形態によれば、充填剤を詰めた穴から成る空洞部は、熱伝導が良くなるから、外表面部３１が外気によって冷やされると、検出部１０が外気によって良好に冷やされる。よって、第２断熱部３４ｂ側に重大な曇りが発生する前に検出部１０が確実に基準値を超える湿度を検出し易くなる。従って、検出部１０における湿度検出にばらつきが多少あっても、車両内の乗員の視界が曇りによって悪くなる前に防曇作用を発揮させることができる。
【００８２】
（第４実施形態）
次に、本発明の第４実施形態について説明する。図８において、車両となる特に自動車を上側から見て図示している。この車両のウインドシールド３０は、フロントウインドシールド３０ｆ、サイドウインドシールド３０ｓ、リヤウインドシールド３０ｒを含んでいる。
【００８３】
このうちウインドシールド３０が曇るともっとも困るのはフロントウインドシールド３０ｆである。従って、エネルギー消費を伴う防曇作用もフロントウインドシールド３０ｆにおいて最も強化するのが省エネルギー化につながる。
【００８４】
この第４実施形態においては、図１と同じく、ヒータ部３５を使用した防曇装置が、フロントウインドシールド３０ｆ、サイドウインドシールド３０ｓ、リヤウインドシールド３０ｒのいずれにも設けられている。その上で、フロントウインドシールド３０ｆにおけるヒータ部３５の発熱量が、他のサイドウインドシールド３０ｓ、リヤウインドシールド３０ｒにおけるヒータ部３５の発熱量よりも大きく設定されている。
【００８５】
ヒータ部３５の防曇時の発熱量を大きくするには、ヒータ部３５の透明導電膜を構成する成分の配合割合によって透明導電膜の表面抵抗を小さくする。例えば、銀の配合割合を多くすると表面抵抗が減少し、同じ電圧を印加しても発熱量が増加する。
【００８６】
またヒータ部３５として透明部材内に熱線を複数設置したものから構成している場合は、熱線の密度である単位面積当たりの熱線の本数が多くされることにより同じ電圧を印加しても発熱量が増加する。
【００８７】
このように、フロントウインドシールド３０ｆにおけるヒータ部３５の防曇時の発熱量が、他のサイドウインドシールド３０ｓ、リヤウインドシールド３０ｒにおけるヒータ部３５の防曇時の発熱量よりも大きく設定されている。このことにより、フロントウインドシールド３０ｆを優先して防曇するため、限られたエネルギーを使用して、車両走行の安全性を高めることができる。
【００８８】
（第４実施形態の作用効果）
この第４実施形態においては、上記構成により、フロントウインドシールド３０ｆでないウインドシールドにおけるヒータ部３５の温度は、フロントウインドシールド３０ｆのヒータ部３５の温度よりも低くしている。このため省電力化が達成でき、万一曇ってもフロントウインドシールド３０ｆではないため問題が少ない。
【００８９】
防曇用のヒータ部３５の温度を低くした低温部を構成するためには、材質の変更によりヒータ部３５の電気抵抗を高くするとか電気伝導部となるたとえば熱線の密度を低くすると良い。
【００９０】
（第５実施形態）
次に、本発明の第５実施形態について説明する。上記第１実施形態等においては、検出部１０は、樹脂などによって成形され、上ケース１１ａと下ケース１１ｂとに分割構成されたケース１１を有している。従って、運転者が検出部１０を目視してしまうため設置位置に苦慮することになる。つまり、前方視界が妨げられず、かつ、目障りにならないように検出部１０を設けなければならない。この第５実施形態では、検出部１０が前方視界を妨げず、かつ、目障りにならない構造を提供する。
【００９１】
図９及び図９の一部を拡大した図１０において第５実施形態を説明する。図９において検出部１０は、全体として透過性のある薄い膜と、電極と電極の先にある測定部とから構成されている。
【００９２】
湿度検出装置１００は、車両の窓となるウインドシールド３０と、このウインドシールド３０の車両室内側に張り付けて窓の曇りを検出する検出部１０とを有している。この検出部１０は、湿度検出装置のセンサ部分を構成する。ウインドシールド３０は、ウインドスクリーンとも呼ばれ、窓の外側に位置するガラス又は樹脂よりなる外表面部３１、及び、この外表面部３１の表面を覆う断熱フィルムから構成された断熱部３４を有している。
【００９３】
断熱部３４は、検出部１０と外表面部３１の間に位置する検出部範囲内断熱部である第１断熱部３４ａ、及び該第１断熱部３４ａ以外の検出部範囲外断熱部である第２断熱部３４ｂを含む。
【００９４】
援用する図２のように、車両室内の運転者は、第２断熱部３４ｂの多くを透過して車両の外部状態を視認する。ウインドシールド３０の外表面部は、ガラスから成り、図９の下面側が車室内に面する内面３０ａであり、上面側が車室外に面する外面３０ｂである。
【００９５】
第１断熱部３４ａと検出部１０との位置は、図９においては検出部１０の底部面積に対して第１断熱部３４ａの対向面積が１００％重なっている。つまり、第１断熱部３４ａは、検出部１０と外表面部３１の間に存在し、かつ検出部１０の底部面積に対して１００％相対向する部分に位置している。しかし、第１断熱部３４ａは、検出部１０と外表面部３１の間の、検出部１０の底部面積に対して第１断熱部３４ａの対向面積が５０％以上重なって対向する部分に位置していてもよい。つまり、第１断熱部３４ａと検出部１０とは完全に対向した位置になくても良く、多少ずれていても良い。しかし、少なくとも５０％の面積は対向して重なることが望ましい。また、第１断熱部３４ａの熱伝導が第２断熱部３４ｂの熱伝導よりも良好である。
【００９６】
例えば、第１断熱部３４ａ内の熱伝導に寄与する金属粒子又はフィラーの含有量を第２断熱部３４ｂよりも多くすることで、第１断熱部３４ａの熱伝導が第２断熱部３４ｂの熱伝導よりも良好であるように設定できる。つまり、この場合は、第１断熱部３４ａの材質と第２断熱部３４ｂの材質とが相違しており、低断熱部となる第１断熱部３４ａの熱伝導率が高断熱部となる第２断熱部３４ｂの熱伝導率よりも大きい。図９における検出部１０の幅Ｗ１に相当する窓曇り検出範囲の少なくとも半分以上は低断熱部となる第１断熱部３４ａと対向して重なる構成である。
【００９７】
この熱伝導に関係する熱伝導率とは、窓の外側から車両室内側に向かう熱伝導において、媒質中に温度勾配がある場合に、その勾配に沿って運ばれる熱流束の大きさを規定する物理量であり、熱伝導率の逆数が熱抵抗率である。
【００９８】
この熱伝導の相違は、第１断熱部３４ａの材質と第２断熱部３４ｂの材質とが相違しており、第１断熱部３４ａの熱伝導率が第２断熱部３４ｂの熱伝導率よりも大きいことに基づく。第５実施形態では、第１断熱部３４ａの厚さと第２断熱部３４ｂの厚さを同一にすることができ、ウインドシールドの車両室内側に段差が生じない。なお、第１断熱部３４ａのすべてが第２断熱部３４ｂよりも熱伝導率の高い領域を有していなくても良い。
【００９９】
更に、図９において、断熱部３４の車両室内側である図１の右下側に、断熱部３４を覆うヒータ部３５有し、検出部１０は、ヒータ部３５の更に車両室内側に設けられている。検出部１０の信号に基づき、曇りを検出したときに、ヒータ部３５に通電されて、窓の曇りが除去される車両用防曇装置が構成されている。
【０１００】
ヒータ部３５の一例は、ガラス又は樹脂フィルムの表面に透明導電膜を高温で蒸着したものである。透明導電膜の両端には電極として銀ペーストが設けられ透明導電膜に電流が流されることにより発熱する。これらの透明導電膜と銀ペーストを更にガラスカバーで覆っても良い。透明導電膜は酸化インジウムを主としたレアメタルで形成される。透明導電膜を構成する成分の配合割合によって透明導電膜の表面抵抗が変化する。
【０１０１】
ヒータ部３５は、検出部１０の幅Ｗ１を持つ底部面積に対して５０％以上重なって設置された第１ヒータ部３５ａを含む。
【０１０２】
ヒータ部３５の他の例は、透明部材内に視界を著しく遮らない程度のカーボンナノチューブ等から成る細い熱線を設置したものから構成することもできる。ここで言うカーボンナノチューブとは、中空円筒の構造をした炭素の結晶で、直径０．７〜７０ｎｍと髪の毛の約数万分の一、長さが数十マイクロメートル以下のチューブ形状の物質である。カーボンナノチューブは、高いアスペクト比から、１グラムあたり１００〜１０００平方メートルとされる広大な表面積を持つことが大きな特徴とされている。このカーボンナノチューブを使用した透明導電膜ないし透明面状ヒータは既に市販されている。
【０１０３】
第１ヒータ部３５ａよりも第２ヒータ部３５ｂの方が熱線の密度が高くされている。このようにヒータ部３５は、高温部と低温部があり、検出部１０の窓曇り検出範囲（幅Ｗ１）の少なくとも半分以上は低温部となる構成をとる。
【０１０４】
このようなヒータ部３５と共に、あるいはヒータ部３５の代わりに、既存の車両用空調装置のＤＥＦモードを活用して防曇装置を構成できる。援用する図２は、フロントガラスの上部に検出部１０をとりつけ、車両用空調装置における車室内空調ユニット３６０のデフロスタ吹出口３７から温風を吹き出して曇りを防止したり曇りを除去したりする防曇装置の構成を示している。
【０１０５】
この第５実施形態では、ヒータ部３５と共に車室内空調ユニット３６０のデフロスタ吹出口３７からの温風も利用して防曇している。そして、検出部１０が曇りを検出したときに、ウインドシールド３０に向けて温風が吹出されて、窓の曇りが除去されるようにしているが、車室内空調ユニット３６０だけ、あるいは、ヒータ部３５だけで防曇装置を構成しても良いことは勿論である。
【０１０６】
次に、検出部１０における湿度の検出と防曇装置の制御装置への制御信号の送信について説明する。検出部１０は、図１０のように、第１ヒータ部３５ａと接触する位置に検出部１０の基板部１０１が接着剤により接合されている。基板部１０１の車両室内側（図１０上方）にはカーボンナノチューブの層１０２が形成され、更にその車両室内側（図１０上方）には、透湿膜１０３が形成されている。透湿膜１０３は水分を透過させるため透湿膜１０３の車両室内側（図１０上方）に窓曇りのため水分が付着すると、この水分は、カーボンナノチューブの層１０２に至る。水分を吸ったカーボンナノチューブの層１０２は、抵抗値が増加する。水分量と抵抗値の関係は線形的関係にある。
【０１０７】
従って、カーボンナノチューブの層１０２の両端に接続された電極１０４、１０５の先にある測定部１０６にてカーボンナノチューブの層１０２の両端の抵抗値を測定することで、窓の車両内側に付着した曇り量を測定することができる。基板部１０１は、透光性アルミナセラミックスにて構成することができる。
【０１０８】
透湿膜１０３とカーボンナノチューブの層１０２とは全体で感湿膜とも呼ばれ種々のものを採用できる。一例としては、カーボンナノチューブの分散液を透明絶縁基板上に帯状に塗布し乾燥させ電極１０４、１０５を接続した上で、その上にセロファンから成る透湿膜１０３を被せる。なお、透湿膜１０３はカーボンナノチューブの層１０２を保護できるが、必須ではなく、直接、カーボンナノチューブの層１０２に水分を付着させても良い。また、第１実施形態と同様に、第２ヒータ部３５ｂの方が熱線の密度が高くされている。換言すれば、低温部となる第１ヒータ部３５ａの発熱が小さく、高温部となる第２ヒータ部３５ｂの発熱が大きい。このようにヒータ部３５は、高温部と低温部があり、検出部１０の窓曇り検出範囲（幅Ｗ１）の少なくとも半分以上は低温部に対向する構成をとる。
【０１０９】
ウインドシールド３０は、外表面部３１と断熱部３４とヒータ部３５とを張り合わせたものである。なお、ヒータ部３５は省略しても良い。つまりヒータの発熱による防曇でなく空調風による防曇作用でも良い。
【０１１０】
ウインドシールド３０の外表面部３１は、車両の前面（フロント）ガラスであり、図１０の上側が車室内に面する内面３０ａであり、下側が車室外に面する外面３０ｂである。そして、検出部１０は、ウインドシールド３０の内面３０ａに、設置される。検出部１０の全体が透光性を有するため視界を妨げることが無く、目障りになることもない。また電極１０４、１０５は、金属細線であるため視界を妨げることが無く、目障りになることもない。測定部１０６はガラス基板上に目障りにならないように微細回路を製作してもよいが、目障りになる場合は、ウインドシールド３０の隅部に形成されて水分を電気信号に変換する。変換された電気信号は必要に応じて増幅されエアコンＥＣＵと呼ばれる空調制御装置に導かれる。
【０１１１】
空調制御装置２６により制御される車両用空調装置は周知であるため説明の大半を省略するが、援用する図２の車室内空調ユニット３６０は、車室内最前部の計器盤（インストルメントパネル）内側部などに配設される。この車室内空調ユニット３６０は、ケースを有し、このケース内に車室内へ向かって空気が送風される空気通路が構成されている。
【０１１２】
このケースの空気通路の最上流部には、内外気切換箱が設置されており、内気導入口及び外気導入口が内外気切換ドア（内外気切換手段）によって切換開閉される。この内外気切換ドアは、サーボモータによって駆動される。
【０１１３】
内外気切換箱の下流側には、車室内に向かって空気を送風する電動式の送風機が設置されている。この送風機は、多翼遠心式の送風ファンを送風モータによって駆動するようになっている。送風機の下流側には、送風空気を冷却する蒸発器（冷房用熱交換器）が設置されている。
【０１１４】
この蒸発器は、冷凍サイクル装置を構成する要素の一つであり、低温低圧の冷媒が送風空気から吸熱して蒸発することにより送風空気を冷却する。なお、冷凍サイクル装置は、周知のものであり、圧縮機の吐出側から、凝縮器、受液器及び減圧手段を成す膨張弁を介して蒸発器に冷媒が循環するように構成されている。
【０１１５】
凝縮器には、電動式の冷却ファンによって車外空気（冷却空気）が送風される。この冷却ファンは、モータによって駆動される。また、冷凍サイクル装置において、圧縮機は圧縮機駆動用電動機で駆動される。
【０１１６】
一方、室内空調ユニットにおいて蒸発器の下流側には、ヒータコアが設置されている。このヒータコアは、車両走行用エンジンの温水（エンジン冷却水）を熱源として、蒸発器通過後の空気（冷風）を加熱する。ヒータコアの側方にはバイパス通路が形成され、このバイパス通路にヒータコアをバイパスした空気が流れる。
【０１１７】
また、蒸発器とヒータコアとの間には、温度調整手段を成すエアミックスドアが回転自在に設置されている。このエアミックスドアは、サーボモータによって駆動され、その回転位置（開度）が連続的に調整可能である。このエアミックスドアの開度によって、ヒータコアを通る空気量（温風量）と、バイパス通路を通過してヒータコアをバイパスする空気量（冷風量）との割合を調節し、これにより、車室内に吹き出す空気の温度が調整される。
【０１１８】
ケースの空気通路の最下流部には、デフロスタ吹出口３７が設けられている。また、ケースの空気通路の最下流部には、乗員の頭胸部に向けて空調風を吹き出すためのフェイス吹出口、及び乗員の足元部に向けて空調風を吹き出すためのフット吹出口の計３種類の吹出口が設けられている。
【０１１９】
図４の空調制御装置２６は、空調ＥＣＵとも呼ばれ、ＣＰＵ、ＲＯＭ及びＲＡＭなどを含む周知のマイクロコンピュータと、その周辺回路とから構成されている。この空調制御装置２６は、そのＲＯＭ内に空調制御のための制御プログラムを記憶しており、その制御プログラムに基づいて各種演算処理を行う。そして、空調制御装置２６には、上記した検出部１０の演算値が入力される。
【０１２０】
温度調整された空調風が、ケースの空気通路の最下流部に位置するデフロスタ吹出口３７、フェイス吹出口及びフット吹出口のうち、いずれか１つ又は複数の吹出口から車室内へ吹き出して、車室内の空調及び車両のウインドシールド３０の曇り止めを行う。
【０１２１】
次に、測定部の出力値は、水分量に比例した抵抗値を表し、空調制御装置２６に入力される。空調制御装置２６では、ウインドシールド表面の水分量ＷＲＨｗが、基準値となる所定の目標ウインドシールド水分量ＷＴＲＨｗよりも上昇すると、外気モードとする。そして、予め定めた所定量をａとしたときウインドシールド表面の水分量ＷＲＨｗが（ＷＴＲＨｗ−ａ）よりも低下すると、内気モードにする。なお、目標ウインドシールド水分量ＷＴＲＨｗはウインドシールド曇りを十分防止できるレベルの水分量として予め実験により求められている。
【０１２２】
この内外気吸込モード制御において、目標ウインドシールド水分量ＷＴＲＨｗは、ウインドシールドの曇りが生じない上限水分量付近に設定するから、ウインドシールドの曇りが生じない範囲で常に内気比率が高くなるように内外気吸込モードを制御できる。これにより、冬期の暖房始動時に内気比率を上昇することにより換気熱損失を低減して、車室内暖房効果の立ち上げを促進することができる。一方、ウインドシールドの曇り止めの必要性が高いときは、ウインドシールドの防曇制御を行う。
【０１２３】
すなわち、内外気吸込モードを強制的に外気モードに切り換え、空調用電動送風機のブロワレベルを増加し、吹出モードをデフロスタモードとする。これにより低湿度の外気を導入して加熱した温風をデフロスタ吹出口３７から吹き出す。それと共に、この温風の吹出風量を増加することにより、ウインドシールド表面の水分量を速やかに引き下げてウインドシールド３０の曇りを除去できる。更に、ヒータ部３５に通電されてウインドシールド３０の加熱が行われる。
【０１２４】
（第５実施形態の作用効果）
ウインドシールド３０が曇るのは結露による。水蒸気として空気の中に入ることができる水分の量には限度がある。温度が高いほど限度は大きい。限度を超えると、余った水蒸気が結露になる。飽和水蒸気量は気温が下がるにつれて減少する。外表面部が外気に冷やされてウインドスクリーンの内面に接する空気が冷えて、飽和水蒸気量を越えてしまうと、余った水蒸気は水滴となり、曇りが生じる。よって、曇りが生じる直前又は直後に限度である基準値を超える水分量を検出することが好ましい。
【０１２５】
第５実施形態においては、検出部１０が、車両のウインドシールド３０の車両室内側に設けられて水分量を検出する。ウインドシールド３０は、このウインドシールド３０の外側に位置する外表面部３１と、外表面部３１の車両室内側表面を覆う断熱部３４とを含む。この断熱部３４は、検出部１０と外表面部３１の間に実質的に対向して位置する第１断熱部３４ａと、この第１断熱部３４ａ以外の第２断熱部３４ｂとを有する。
【０１２６】
故に、外表面部３１が外気によって冷やされると、検出部１０が外気によって良好に冷やされる。よって、第２断熱部３４ｂ側に重大な曇りが発生する前に、検出部１０が確実に基準値を超える水分量を検出しやすい。よって、検出部１０が水分量の検出にばらつきが多少あっても、車両内の乗員の視界が曇りによって悪くなる前に、検出部１０が基準値を超える水分量をより確実に検出して防曇することができる。
【０１２７】
また、第１断熱部３４ａの材質と第２断熱部３４ｂの材質とが相違しており、第１断熱部３４ａの熱伝導が第２断熱部３４ｂの熱伝導よりも良好である。このように、第１断熱部３４ａの材質と第２断熱部３４ｂの材質とを変えることにより、容易に第１断熱部３４ａの熱伝導を第２断熱部３４ｂの熱伝導よりも良好に設定できる。
【０１２８】
次に、断熱部３４の車両室内側において断熱部３４を覆うヒータ部３５を有し、検出部１０は、ヒータ部３５の更に車両室内側に設けられる。そして、検出部１０が基準値を超える曇りを検出したときに、ヒータ部３５に通電されて、窓の曇りの除去が行われる。
【０１２９】
これによれば、検出部１０が外気によって冷やされる。よって、第２断熱部３４ｂ側に重大な曇りが発生する前に、検出部１０が確実に基準値を超える湿度を検出できる。そのため、検出部１０が基準値を超える湿度をより確実に検出して防曇することができる。また、曇りが生じたときは、ヒータ部３５を加熱する。
【０１３０】
次に、ヒータ部３５は、検出部１０と外表面部３１の間に位置する第１ヒータ部３５ａと、該第１ヒータ部３５ａ以外の第２ヒータ部３５ｂとを含む。そして、検出部１０が曇りを検出したときに、ヒータ部３５に通電される。この場合に、第１ヒータ部３５ａよりも第２ヒータ部３５ｂの方が高温になる。
【０１３１】
故に、第２ヒータ部３５ｂの方が第１ヒータ部３５ａよりも曇りが晴れ易い。従って、検出部１０が曇りに至る水分量を検出したときに、ヒータ部３５に通電されて、乗員の視界に影響する窓の曇りがより確実に除去される。
【０１３２】
（他の実施形態）
上記の実施形態では、本発明の好ましい実施形態について説明したが、本発明は上記した実施形態に何ら制限されることなく、本発明の主旨を逸脱しない範囲において種々変形して実施することが可能である。上記実施形態の構造は、あくまで例示であって、本発明の範囲はこれらの記載の範囲に限定されるものではない。本発明の範囲は、特許請求の範囲の記載によって示され、更に、特許請求の範囲の記載と均等の意味及び範囲内での全ての変更を含むものである。
【０１３３】
防曇のためにヒータ部３５をウインドシールド３０に併設したが、ヒータ部３５はなくても良い。この場合は、車両用空調装置から温風が吹出されて、窓の曇りが除去されるようにすれば良い。つまり、湿度検出装置を使用した車両用防曇装置において、検出部が曇りを検出したときに、ウインドシールドに向けて温風が吹出されて、窓の曇りが除去されるようにすれば良い。
【０１３４】
また、外表面部３１の車両室内側表面を覆う断熱部３４を設けている。この断熱部３４は、検出部１０と外表面部３１の間に位置する第１断熱部３４ａと、この第１断熱部３４ａ以外の第２断熱部３４ｂとを有する。そして第１断熱部３４ａの熱伝導が第２断熱部３４ｂの熱伝導よりも良好であるようにした。
【０１３５】
このように、検出部１０に対向する部分に、熱伝導が良好な第１断熱部３４ａを使用したが、図７と同様に、この第１断熱部３４ａの中に、熱伝導の良い充填物を内部に含む穴等の空洞部を設けても良い。
【０１３６】
空気中の湿度が多くなると温度の低いガラス部分に曇りが生じることが知られている。従って、上記のようにすれば、外表面部３１から検出部１０に向けての熱伝導が良好になり、速やかに外気の変化に伴う窓曇りの検出が可能となり、レスポンスが向上する。換言すれば、第１断熱部３４ａの空洞部は、熱伝導が第２断熱部３４ｂの熱伝導よりも良好である。故に、外表面部３１が外気によって冷やされると、検出部１０が外気によって良好にすぐに冷やされる。そのため、検出部１０が空気中の湿度を検出し易い。よって、第２断熱部３４ｂ側に重大な曇りが発生する前に、検出部１０が確実に基準値を超える湿度を検出し易くなる。よって、検出部１０において湿度検出にばらつきが多少あっても、車両内の乗員の視界が曇りによって悪くなる前に、検出部１０が基準値を超える湿度をより確実に検出し易い。また、図１においては、第１断熱部３４ａの全域を第２断熱部３４ｂよりも熱伝導率の高い領域としたが、この熱伝導率の高い領域は、全域でなくてもよい。
【０１３７】
次に、第５実施形態においては検出部にカーボンナノチューブという新素材を使用し、透明であり、かつ水分量を測定できる装置を開示した。この場合において、防曇のためにヒータ部３５をウインドシールド３０に併設する場合は、ヒータ部３５にもカーボンナノチューブを使用することができる。金属細線の代わりに細線状に形成されたカーボンナノチューブのヒータ線をヒータ部３５の樹脂の内部又は表面に張り巡らし、カーボンナノチューブに通電して発熱させることができる。
【０１３８】
このカーボンナノチューブを使用したヒータは軽量微細であり透明性を阻害することが無い。かつ、ヒータ自体の熱容量を小さくできる。その結果、発熱量を有効に水分の除去に活用できる。
【０１３９】
更に第１断熱部３４ａが、第２断熱部３４ｂよりも熱伝導の良好な領域を有している場合、この熱伝導の良好な領域は、材質や金属フィラーの混入量の分布の相違によって形成した。しかし、金属フィラーの代わりにカーボンナノチューブを樹脂中に混入して熱伝導の良好な領域を持つ第１断熱部３４ａを形成することができる。また、カーボンナノチューブは、微細であり、かつ、熱伝導が良いから、透明性の高い第１断熱部３４ａを形成することができる。かくして、ヒータ部、断熱部、検出部の夫々にカーボンナノチューブを活用して軽量で透明性が高く、曇り除去作用の優れた防曇装置を提供できる。
【符号の説明】
【０１４０】
１０  検出部
３０  ウインドシールド
３１  外表面部
３４  断熱部
３４ａ  第１断熱部
３４ｂ  第２断熱部
３５  ヒータ部
３５ａ  第１ヒータ部
３５ｂ  第２ヒータ部
３６０  車室内空調ユニット
【図１】
2016080690.tif 000003
【図２】
2016080690.tif 000004
【図３】
2016080690.tif 000005
【図４】
2016080690.tif 000006
【図５】
2016080690.tif 000007
【図６】
2016080690.tif 000008
【図７】
2016080690.tif 000009
【図８】
2016080690.tif 000010
【図９】
2016080690.tif 000011
【図１０】
2016080690.tif 000012